【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
支持体、基材および前記基材から突き出た複数の固定要素を含み、
成分Ａ：少なくとも二つの（メタ）アクリレート基を含み、且つ７００ｇ／ｍｏｌ〜７０００ｇ／ｍｏｌの平均分子量Ｍｗを有する（メタ）アクリレートモノマーまたはオリゴマー；
成分Ｂ：少なくとも二つの（メタ）アクリレート基を含み、且つ１５０ｇ／ｍｏｌ以上および７００ｇ／ｍｏｌ未満の平均分子量Ｍｗを有する（メタ）アクリレートモノマーまたはオリゴマー；
成分Ｃ：光開始剤；並びに
成分Ｄ：ポリチオール
を含む光硬化性接着組成物から前記固定要素および前記基材が形成されている接着片。
【請求項２】
階層構造が、少なくとも一つの固定要素の外面の少なくとも一部上に、および／または少なくとも一つの固定要素に隣接する基材の表面の少なくとも一部上に備えられている請求項１に記載の接着片。
【請求項３】
前記階層構造が、各固定要素の外面の少なくとも一部上に、および／または各固定要素に隣接する基材の表面の少なくとも一部上に備えられている請求項２に記載の接着片。
【請求項４】
前記固定要素が、１５０μｍ〜１０００μｍの範囲の高さを有する請求項１〜３のいずれかに記載の接着片。
【請求項５】
前記固定要素が、１００μｍ〜１０００μｍの範囲の幅を有する請求項１〜４のいずれかに記載の接着片。
【請求項６】
前記支持体が、軟質材料、半軟質材料または硬質材料である請求項１〜５のいずれかに記載の接着片。
【請求項７】
前記光硬化性接着組成物が、さらに成分Ｅ：単官能性（メタクリレート）モノマーを含む請求項１〜６のいずれかに記載の接着片。
【請求項８】
前記成分Ａが、カプロラクトン変性ジペンタエリトリトール  ヘキサ（メタ）アクリレート、ポリエチレングリコール  ジ（メタ）アクリレート、ポリプロピレングリコール  ジ（メタ）アクリレート、カプロラクトン変性トリス（アクリロキシエチル）イソシアヌレート、脂肪族ウレタンアクリレートオリゴマー、エポキシアクリレート、ウレタンアクリレート、ポリエステルアクリレート、ポリオールアクリレート、ポリエーテルアクリレート、シリコーン樹脂アクリレート、メラミンアクリレートおよびこれらの混合物からなる群から選ばれる請求項１〜７のいずれかに記載の接着片。
【請求項９】
前記成分Ａが、エポキシアクリレート、ウレタンアクリレート、ポリエステルアクリレート、ポリオールアクリレート、ポリエーテルアクリレート、シリコーン樹脂アクリレート、メラミンアクリレートおよびこれらの混合物からなる群から選ばれる請求項１〜７のいずれかに記載の接着片。
【請求項１０】
前記成分Ｂが、１，４−ブタンジオール  ジ（メタ）アクリレート、ジシクロペンタニル  ジ（メタ）アクリレート、エチレングリコール  ジ（メタ）アクリレート、ジペンタエリトリトール  ヘキサ（メタ）アクリレート、カプロラクトン変性ジペンタエリトリトール  ヘキサ（メタ）アクリレート、１，６−ヘキサンジオール  ジ（メタ）アクリレート、ネオペンチルグリコール  ジ（メタ）アクリレート、ペンタエリトリトール  トリ（メタ）アクリレート、ポリエチレングリコール  ジ（メタ）アクリレート、ポリプロピレングリコール  ジ（メタ）アクリレート、テトラエチレングリコール  ジ（メタ）アクリレート、トリメチロールプロパン  トリ（メタ）アクリレート、トリス（アクリロキシエチル）イソシアヌレート、カプロラクトン変性トリス（アクリロキシエチル）イソシアヌレート、トリス（メタクリロキシエチル）イソシアヌレート、トリシクロデカンジメタノール  ジ（メタ）アクリレートおよびこれらの混合物からなる群から選ばれる請求項１〜７のいずれかに記載の接着片。
【請求項１１】
前記成分Ｃが、ベンゾフェノン類、α−ヒドロキシケトン類、ベンジルジメチル−ケタール類、α−アミノケトン類、フェニルグリオキソラート類、モノ−またはビス−アシルホスフィン類、メタロセン類およびこれらの混合物からなる群から選ばれる請求項１〜１０のいずれかに記載の接着片。
【請求項１２】
前記成分Ｃが、２−ヒドロキシ−２−メチル−１−フェニル−１−プロパノン、α，α−ジメトキシ−α−フェニルアセトフェノン、２−メチル−１−（４−（メチルチオ）フェニル）−２−（４−モルホリニル）−１−プロパノン、オキシ−フェニル−酢酸  ２−（２−オキソ−２フェニル−アセトキシ−エトキシ）−エチルエステル、ジフェニル（２，４，６−トリメチルベンゾイル）ホスフィンオキシド、ビス（ベータ−５−２，４−シクロペンタジエン−１−イル）ビス［２，６−ジフルオロ−３−（１Ｈ−ピロール−１−イル）フェニル］チタンおよびこれらの混合物からなる群から選ばれる請求項１〜１０のいずれかに記載の接着片。
【請求項１３】
前記成分Ｃが、ビス（２，４，６−トリメチルベンゾイル）−フェニルホスフィンオキシド、２−ヒドロキシ−２−メチル−１−フェニル−プロパノンおよびこれらの混合物からなる群から選ばれる請求項１〜１０のいずれかに記載の接着片。
【請求項１４】
前記成分Ｄが、１級および／または２級チオールである請求項１〜１３のいずれかに記載の接着片。
【請求項１５】
前記成分Ｄが、２，５−ヘキサンジチオール、２，９−デカンジチオール、エチレングリコール  ビス（３−メルカプトブチラート）、ブタンジオール  ビス（３−メルカプトブチラート）、オクタンジオール  ビス（３−メルカプトブチラート）、トリメチロールプロパン  トリス（３−メルカプトブチラート）、ペンタエリトリトール  テトラキス（３−メルカプトブチラート）、エチレングリコール  ビス（２−メルカプトプロピオナート）、ブタンジオール  ビス（２−メルカプトプロピオナート）、オクタンジオール  ビス（２−メルカプトプロピオナート）、トリメチロールプロパン  トリス（２−メルカプトプロピオナート）、ペンタエリトリトール  テトラキス（２−メルカプトプロピオナート）、エチレングリコール  ビス（２−メルカプトイソブチラート）、ブタンジオール  ビス（２−メルカプトイソブチラート）、オクタンジオール  ビス（２−メルカプトイソブチラート）、トリメチロールプロパン  トリス（２−メルカプトイソブチラート）、ペンタエリトリトール  テトラキス（２−メルカプトイソブチラート）、ペンタエリトリトール  テトラキス（３−メルカプトプロピオナート）、トリメチロールプロパン  トリス（３−メルカプトプロピオナート）、トリス［２−（３−メルカプトプロピオニルオキシ）エチル］イソシアヌレート、エチレングリコール  ビス（３−メルカプトバレラート）、ブタンジオール  ビス（３−メルカプトバレラート）、オクタンジオール  ビス（３−メルカプトバレラート）、トリメチロールプロパン  トリス（３−メルカプトバレラート）、ペンタエリトリトール  テトラキス（３−メルカプトバレラート）、１，４−ビス（１−メルカプトエチル）ベンゼン、（２−メルカプトエチル）ベンゼン、フタル酸ビス（２−メルカプトエチルエステル）、フタル酸ビス（２−メルカプトプロパニルエステル）、フタル酸ビス（２−メルカプトブタニルエステル）、エチレングリコール  ビス（３−メルカプトブチラート）、ブタンジオール  ビス（３−メルカプトブチラート）、オクタンジオール  ビス（３−メルカプトブチラート）、トリメチロールプロパン  トリス（３−メルカプトブチラート）、エチレングリコール  ビス（２−メルカプトイソブチラート）、ブタンジオール  ビス（２−メルカプトイソブチラート）、オクタンジオール  ビス（２−メルカプトイソブチラート）、トリメチロールプロパン  トリス（２−メルカプトイソブチラート）、ペンタエリトリトール  テトラキス（２−メルカプトイソブチラート）およびこれらの混合物からなる群から選ばれる請求項１〜１３のいずれかに記載の接着片。
【請求項１６】
前記光硬化性接着組成物が、組成物の全重量の４０重量％〜８８重量％の成分Ａを含む請求項１〜１５のいずれかに記載の接着片。
【請求項１７】
前記光硬化性接着組成物が、組成物の全重量の２重量％〜５０重量％の成分Ｂを含む請求項１〜１６のいずれかに記載の接着片。
【請求項１８】
前記光硬化性接着組成物が、樹脂１００部あたり０．０５〜２０部の成分Ｃを含む請求項１〜１７のいずれかに記載の接着片。
【請求項１９】
前記光硬化性接着組成物が、組成物の全重量の０．０５重量％〜７０重量％の成分Ｄを含む請求項１〜１８のいずれかに記載の接着片。
【請求項２０】
再密閉できる留め具としての請求項１〜１９のいずれかに記載の接着片の使用。
【請求項２１】
請求項１〜１９のいずれかに記載の二つの接着片を含む再密閉できるオス型−オス型の留め具。
【請求項２２】
ｉ）ナノインプリントリソグラフィプロセスまたはロール・トゥ・ロール印刷プロセスに適した支持体を供給する工程；
ｉｉ）充分な量の請求項１〜１９のいずれかに記載の光硬化性接着組成物を、工程（ｉ）で供給された支持体の少なくとも一部に適用する工程；
ｉｉｉ）ナノインプリントリソグラフィプロセスに適したスタンプを供給し、および工程（ｉｉ）で支持体に適用された光硬化性接着組成物をスタンプで刻印するか、または回転金属ロールの周りに柔軟な作業スタンプを供給し、および工程（ｉｉ）で支持体に適用された光硬化性接着組成物を柔軟な作業スタンプで印刷する工程；
ｉｖ）工程（ｉｉｉ）と同時に、ＵＶ光を使用して支持体を照射する工程；並びに
ｖ）硬化した構造化接着組成物を含有する前記支持体を、スタンプまたは柔軟な作業スタンプから離す工程
を含む、請求項１〜１９のいずれかに記載の接着片を製造する連続法。